(57)【要約】【課題】引き出し式容器の安定した引き出し操作を確保するばかりでなく、本体位置に対するスライドレールの位置決めなど製造品質を向上させて引き出し式容器としての品位の向上をはかることができる冷蔵庫を提供する。【解決手段】高さ寸法より幅寸法の方を大きくして横長の外形とした断熱箱体の内部を上下に区分するとともにその下方区分を左右に断熱区分して複数の貯蔵室を形成し、引き出し式扉により前面開口部を閉塞される前記貯蔵室内に容器を設け、この容器を引き出し自在に保持するスライドレール16、23、24を貯蔵室14の両側の側壁部に前後方向に亙り、且つ上下方向に複数個取り付け、この複数のスライドレールを支持するように前記貯蔵室を形成する内箱３の断熱材側に単一のレール補強板27を固着し、最下方に位置するスライドレールを、引き出し式扉の内面側に固定されて開扉とともに引き出される左右一対の支持部材19に固着したことを特徴とする。【選択図】  図５
2009014287.tif 000002
【特許請求の範囲】
【請求項１】
引き出し式扉により前面開口部を開閉自在に閉塞される貯蔵室内に設けられた容器と、この容器を引き出し自在に保持するように前記貯蔵室両側の側壁部に前後方向に亙り、且つ上下方向に複数個取り付けたスライドレールと、この複数のスライドレールを支持するように前記貯蔵室を形成する内箱の断熱材側に固着した単一のレール補強板とからなり、前記複数のスライドレールのうち最下方に位置するスライドレールは、前記引き出し式扉の内面側に固定され開扉とともに引き出される左右一対の支持部材に固着されていることを特徴とする冷蔵庫。
【請求項２】
複数のスライドレールのうち最下方のスライドレールは、内箱側に固定した固定レールと、この固定レールと係合して摺動する中間レールおよび中間レールと係合して摺動する可動レールとから形成するとともに、前記可動レールの前後に亙って支持部材を固着し、この支持部材上に容器を載置したことを特徴とする請求項１記載の冷蔵庫。
【請求項３】
複数のスライドレールのうち最下方以外のスライドレールは、内箱側に固定した固定レールと、この固定レールと係合して摺動する可動レールとから形成するとともに、可動レールに固着した支持部材により上部容器を保持するようにしたことを特徴とする請求項１記載の冷蔵庫。
【請求項４】
引き出し式扉で閉塞される前面開口部を設けた複数の貯蔵室を左右に併設し、これら貯蔵室を形成する内箱の相対向する側壁間に亙ってその断熱材側に単一のレール補強板を配設し、このレール補強板により前記内箱の相対向する側壁に上下に亙って取り付けられる左右のスライドレールを支持したことを特徴とする請求項１記載の冷蔵庫。
【請求項５】
左右の内箱の相対向する側壁の間隔に合致する水平部を有し、この水平部の両端から内箱面に沿って上部あるいは下部にスライドレールの支持部を折曲させたことを特徴とする請求項４記載の冷蔵庫。
【請求項６】
高さ寸法より幅寸法の方を大きくして横長の外形とした断熱箱体の内部を上下に区分するとともにその下方区分を左右に断熱区分して複数の貯蔵室を形成し、引き出し式扉により前面開口部を閉塞される前記貯蔵室内に容器を設け、この容器を引き出し自在に保持するスライドレールを前記貯蔵室両側の側壁部に前後方向に亙り、且つ上下方向に複数個取り付け、この複数のスライドレールを支持するように前記貯蔵室を形成する内箱の断熱材側に単一のレール補強板を固着し、前記複数のスライドレールのうち最下方に位置するスライドレールを、前記引き出し式扉の内面側に固定されて開扉とともに引き出される左右一対の支持部材に固着したことを特徴とする冷蔵庫。
【発明の詳細な説明】
【技術分野】
【０００１】
本発明は引き出し式扉によって貯蔵室内に配置した収納容器を出し入れする冷蔵庫に係り、特に安定した引き出し操作や製造品質の向上をはかったものに関する。
【背景技術】
【０００２】
近年、冷蔵庫は生活の多様化とともに収納量の大形化傾向にあり、その形態としては、上部に最も貯蔵物収納容積の大きい冷蔵室を設置し、その下部に収納容積の比較的小さい製氷室や温度切替室を幅方向の左右に区分して設け、さらにその下部に野菜室、最下部に冷凍室を設置するタイプが多くなっている。
【０００３】
前記冷蔵室は、その前面開口部近傍に一側を枢支した扉、あるいは観音開き式の扉により、前記開口を回動方式で閉塞しており、野菜室や冷凍室、および製氷室や温度切替室は、収納物の出し入れ操作の利便性から扉の貯蔵室側に容器を取り付け、前後に引き出し式とするものが多い。
【０００４】
そして、冷蔵庫の扉における引き出し構成としては、引き出し式扉の縦断面図である図10に示すように、周縁に設けたガスケットにより貯蔵室（51）側の受け面との間隙をシールした引き出し式の扉（54）の内面側に貯蔵室内側へ延びて容器（57）を保持する左右一対の支持枠（55）を固定し、この支持枠（55）を支え部材（59）を介して内箱側に固定される固定レール（58）と中間レール（61）、さらに可動レール（60）を有し、これらの鍔部間に嵌挿したボールベアリングにより連結した複合方式のスライドレール（56）に固着し、この貯蔵室（51）の両側に位置するスライドレール（56）に沿って摺動自在に配置することで扉（54）の開閉に連動して引き出し自在とすることにより、引き出し量を大きくするとともに、引き出された状態では相当の重量となる扉（54）および容器（57）を確実に支え、ガタツキの少ない高品位な引き出し式扉を構成した冷蔵庫が提案されている（例えば、特許文献１参照）。
【特許文献１】特開２００７−０６４５８０号公報
【発明の開示】
【発明が解決しようとする課題】
【０００５】
しかしながら、上記特許文献１の構成における貯蔵室（51）を形成する内箱（53）の側面に固定されるスライドレール（56）は、内箱（53）裏面の断熱材側に取り付けたレール補強板（67）によって固定されているものであるが、その分解図である図11から理解されるように、ひとつの貯蔵室内に設けられるスライドレール（56）およびこれを保持するレール補強板（67）は一組であり、貯蔵室内に複数のスライドレール（56）を配設する構成については考慮されていなかった。
【０００６】
すなわち、これまでのスライドレール（56）は、前述のように、縦型冷蔵庫における最上部に設けた冷蔵室以外の引き出し方式とした冷凍室や野菜室などの貯蔵室を対象として設けられており、対象とする貯蔵室の高さ寸法は、いずれも比較的低いものであって必然的にスライドレール（56）も１本設ける程度のスペースしかなかったものであるが、例えば、一般家庭のシステムキッチン内に冷蔵庫を組み込む際には、使用者の腰位置程度に設定した高さ寸法より幅寸法の方を大きくして横長の外形とした、いわゆる横形冷蔵庫に適用することになり、この場合には、高さ寸法が８００ｍｍ程度となり、扉形態はすべて引き出し式となることから使い勝手を考慮すればひとつの貯蔵室の側壁に対して複数のスライドレールを配設することになる。
【０００７】
したがって、この場合は、スライドレールへの荷重や負荷が増大することから補強強度をより大きくする必要があるが、個々のスライドレール毎にレール補強板を増加させるとレール装置全体の重量が増大するものであり、過負荷になると補強板ごと貯蔵室内側に倒れたりする、いわゆる内倒れが発生するばかりでなく、部品数が多くなって組み立て作業が煩雑となる不具合を生じる。
【０００８】
本発明は上記の点に着目してなされたもので、引き出し式容器の安定した引き出し操作を確保するばかりでなく、本体位置に対するスライドレールの位置決めなど製造品質を向上させて引き出し式容器としての品位の向上をはかることができる冷蔵庫を提供することを目的とする。
【課題を解決するための手段】
【０００９】
本発明の請求項１記載の冷蔵庫は、引き出し式扉により前面開口部を開閉自在に閉塞される貯蔵室内に設けられた容器と、この容器を引き出し自在に保持するように前記貯蔵室両側の側壁部に前後方向に亙り、且つ上下方向に複数個取り付けたスライドレールと、この複数のスライドレールを支持するように前記貯蔵室を形成する内箱の断熱材側に固着した単一のレール補強板とからなり、前記複数のスライドレールのうち最下方に位置するスライドレールは、前記引き出し式扉の内面側に固定され開扉とともに引き出される左右一対の支持部材に固着されていることを特徴とするものであり、請求項６記載の冷蔵庫は、高さ寸法より幅寸法の方を大きくして横長の外形とした断熱箱体の内部を上下に区分するとともにその下方区分を左右に断熱区分して複数の貯蔵室を形成し、引き出し式扉により前面開口部を閉塞される前記貯蔵室内に容器を設け、この容器を引き出し自在に保持するスライドレールを前記貯蔵室両側の側壁部に前後方向に亙り、且つ上下方向に複数個取り付け、この複数のスライドレールを支持するように前記貯蔵室を形成する内箱の断熱材側に単一のレール補強板を固着し、前記複数のスライドレールのうち最下方に位置するスライドレールを、前記引き出し式扉の内面側に固定されて開扉とともに引き出される左右一対の支持部材に固着したことを特徴とする。
【発明の効果】
【００１０】
本発明によれば、スライドレールの取り付け強度を増大して引き出し式扉に保持した容器の引き出し操作を安定させることができるとともに、スライドレールの本体位置に対する位置決めなど製造品質を向上や作業工程の簡略化を可能として、引き出し式容器としての品位の向上をはかることができる。
【発明を実施するための最良の形態】
【００１１】
以下、図面に基づき本発明の一実施形態について説明する。冷蔵庫の正面図である図１に示すように、冷蔵庫本体（１）は、高さ寸法を８００ｍｍ程度とし、これより幅寸法を１８００ｍｍ程度として大きくして、通常の家庭用冷蔵庫の縦長形状に対して高さが低く幅が広い横長の外形としている。
【００１２】
この冷蔵庫本体（１）の外形高さ寸法は、一般家庭のキッチンにおける流し台の高さに合わせており、奥行き寸法は５２０ｍｍ程度にし、キッチンにおいてその上面をカウンターテーブルとして使用できるようにした形態に基づくものであり、システムキッチンに組み込むような場合は、他のキッチン用品に合わせた色彩にするとともに上面や側壁部を木製カバー体で覆うようにしても使用できるものである。
【００１３】
前記図１およびこの図１から扉を除去した貯蔵室部分を示す図２から理解されるように、冷蔵庫の各貯蔵室配置の形態は、外箱（２）と内箱（３）との間に断熱材（４）を充填した断熱箱体で形成される貯蔵室の内部を横仕切壁（５）で上下の空間に区分するとともにそれぞれの区分をさらに縦仕切壁（６）で左右に区分して複数の独立した貯蔵室を形成している。
【００１４】
前記内箱（３）内を上下に区分する横仕切壁（５）の上方区分は、その幅方向の一方を冷蔵貯蔵空間として、室内を０〜５℃の温度環境にした野菜室Ａ（７）とし、比較的低温での貯蔵に適した大根やほうれん草、キャベツやごぼう、タマネギなどを収納するようにしており、他方を断熱区画した冷凍貯蔵空間の一部としての製氷室（８）としている。
【００１５】
この製氷室（８）には、隣接する前記野菜室Ａ（７）の前記縦仕切壁（６）に沿って設けた給水タンクからの給水を受けて製氷をおこなう自動製氷装置（９）を設置し、その下部には離氷された氷粒を貯留する貯氷箱を設けている。（10）は製氷室（７）の上部空間に形成した調味料など小物収納用の冷蔵空間であり、その側方には、断熱区画した冷蔵食品を収納する冷蔵室（11）を設置している。なお、前記小物収納用の冷蔵空間（10）は、製氷室（８）と同様の冷凍空間としてもよく、さらに製氷室（８）とは別の専用引き出し式扉を設けて独立させるようにしてもよい。
【００１６】
下方区分についても前記縦仕切壁（６）で左右に区分されており、その一方を冷蔵貯蔵空間として前記野菜室Ａ（７）より室内設定温度を７〜８℃と高くし、さつまいもやカボチャ、ピーマンやメロンなどの貯蔵に適した野菜室Ｂ（12）とし、他方には、前記断熱された縦仕切壁（６）と、天井面を形成する前記横仕切壁（５）を断熱仕切壁とした断熱壁とで覆うとともに、前記野菜室Ｂ（12）より幅寸法を大きく設定して冷凍食品の保存やホームフリージングをおこなう冷凍室（13）を形成しており、これらの各貯蔵室は、全体が横長である外形とその設置高さ位置による使用者の使い勝手面から、すべてを引き出し扉方式としている。
【００１７】
以下、その構成を冷蔵室（11）を例として説明する。冷蔵室内部の側面図である図３および冷蔵室下方の斜視図である図４に示すように、冷蔵室（11）の前面開口部を開閉自在に閉塞する冷蔵室扉（14）の内側には、扉本体への固定部（15ａ）とともにこの固定部（15ａ）からほぼＬ字状に折曲して室内奥行き方向に延出する支持部（15ｂ）を形成した左右一対の支持枠（15）を固着しており、この支持枠（15）とともに冷蔵室（11）の両側壁面に前後方向に亙って配置したスライドレール（16）によって貯蔵食品などを収納する容器（17）を保持し、前後に摺動可能な引出し方式としている。
【００１８】
容器（17）の後部には、特に図示しないが、冷気を生成して冷蔵空間や冷凍空間の各貯蔵室に供給する冷却器やファンを配置しており、冷蔵室扉（14）の内面側周縁部には、軟質合成樹脂で形成されたガスケットを挿着し、閉扉の際には冷蔵室（11）内を密閉するように構成している。
【００１９】
前記スライドレール（16）関連部品の分解斜視図である図５、および容器（17）の左側の支持部分におけるスライドレール（16）部の正面からの断面図である図６に示すように、前記スライドレール（16）は、冷蔵室（11）を形成する内箱（３）の両側内面に冷蔵室（11）の奥行き方向に亙るように固着された鋼板からなる板状体の上下辺に内方向に延出する鍔部（18ａ）を設けた固定レール（18）と、容器（17）の両側縁部を支持する前記支持枠の支持部（15ｂ）の上面に形成した鍔部（15ｃ）を支える支え部材（19）を一体に固定し、前記固定レール（18）の鍔部（18ａ）間に位置するようにその上下辺から外方向に鍔部（20ａ）を延出させた可動レール（20）と、これら内外のレール（18）（20）の間に設けられて前記固定レール（18）の鍔部（18ａ）と可動レール（20）の鍔部（20ａ）との間に位置する鍔部（21ａ）を内方向に設けた中間レール（21）とから構成されている。
【００２０】
前記中間レール（21）は、その鍔部（21ａ）と、前記固定レール（18）と可動レール（20）の各鍔部（18ａ）（20ａ）との間に嵌挿したボールベアリング（22）によりそれぞれと係合し、スライドレール（16）として実質的に一体化されるとともに前後に摺動自在に保持されてダブルレールを形成しており、固定レール（18）内を摺動する中間レール（21）およびこの中間レール（21）内を摺動することによって可動レール（20）は２段階で引き出されることになる。
【００２１】
なお、前記支え部材（19）は、可動レール（20）の室内側に沿わせるとともにリベットなどで一体に嵌め固定しており、断面はほぼＬ字状をなしてその上辺には前記容器（17）を載置する支持枠（15）を保持するための鍔部（19ａ）を形成している。また、前記支え部材（19）は可動レール（20）に一体に形成するようにしてもよい。
【００２２】
そして、開扉動作により冷蔵室扉（14）とともにスライドレール（16）を冷蔵室（11）内から引き出した状態では、支え部材（19）に固着された支持枠（15）の鍔部（15ｃ）上に周縁鍔部（17ａ）を載置して保持された容器（17）は、従来のシングルレール方式に比し、各レール（18）（20）（21）間の２段式の保持機構によってその後端部が冷蔵室（11）の前面開口部より前方まで大きく引き出されるものであり、容器（17）はフルオープン状態でその上面開口から容易に食品を取り出し、収納することができる。
【００２３】
このとき、固定レール（18）に対して中間レール（21）および可動レール（20）は所定長さの重なり代を有しているので、幅方向への振れが規制され、扉部分で大きく振れることを防止でき、冷蔵室扉（14）を持って容器（17）を庫内に押し込む閉扉動作についても滑らかにおこなうことができるものである。
【００２４】
また、前記スライドレール（16）に保持される容器（17）の上方には、同様の構成からなるスライドレール上（23）およびスライドレール中（24）を設けている。これらスライドレール上（23）および同中（24）は、前記スライドレール（16）と相違して前記冷蔵室扉（14）との連結関係はないものであり、支え部材（19）に固着された支持枠（15）上縁の前後に延びる鍔部（15ｃ）により容器（17）の両側縁部を保持して容器（17）を載置し引き出す構成であることから、スライドレール上（23）、同中（24）に載置される容器上（25）、容器中（26）の冷蔵室（11）内への収納引き出し操作は、使用者の手指による動作でおこなわれるものであり、前記スライドレール（16）による容器（17）と同様にフルオープンで室外に引き出すことができる。
【００２５】
しかして、前記冷蔵室（11）の側壁の上下に亙る前記３本のスライドレール（23）（24）（16）に対応する内箱（３）裏面の断熱材（４）側には、前記３本のスライドレール（23）（24）（16）をほぼ覆うような高さ寸法と奥行き寸法を有する鋼板製のレール補強板（27）を取り付けている。
【００２６】
レール補強板（27）の取り付けに際しては、その板面に設けた凸起片（27ａ）を内箱（３）側面に形成した係合孔（３ａ）に係合させることにより位置決めして仮止めし、貯蔵室内側からそれぞれのレール部に沿って前後部をねじ（28）で固定するものであり、その後、内箱（３）と外箱（２）との間隙に現場発泡方式によりウレタンフォームなどの断熱材（４）を発泡充填することで、前記レール補強板（27）は発泡断熱材（４）中に埋設され、断熱材（４）の固化により強固に内箱（３）に固定される。
【００２７】
このレール補強板（27）に対して、前記固定レール（18）の奥行き方向の前後２箇所をネジ（29）によって固定することにより、固定レール（18）、中間レール（21）および可動レール（20）は重ね合わせた状態で一体化されたスライドレール（16）として、内箱（３）の内面側に固定することができる。
【００２８】
なお、上記スライドレール上（23）および同中（24）については、引き出し式扉（14）のスライドレール（16）とともに引き出される容器（17）に対してその上方空間に位置し、容器（25）（26）は使用者の手で引き出されるものであることから、特に図示しないが、前記中間レール（21）を除去した固定レール（18′）と可動レール（20′）とのシングルレールの関係としたものでもよく、この場合は、容器（25）（26）の引き出し量は、シングルレール方式の場合と同等になる。
【００２９】
上記構成によって、冷蔵室（11）内の側壁部に複数のスライドレール（23）（24）（16）を配置した場合においても単一のレール補強板（27）を取り付けるだけでよく、上下のスライドレール（23）（24）（16）間の取り付け位置が規制され、引き出し操作においてもばらつきが抑制できるため、商品としての品位を向上させることができるものであり、個々のスライドレールに対してレール補強板をそれぞれ取り付け、各レール補強板の位置決めのため連結部材を必要とする構成に比し、取り付け作業を簡単にして作業工数を少なくできる。
【００３０】
しかも前記レール補強板（27）は、各スライドレール（23）（24）（16）に亙る一枚の補強板であることから、複数のスライドレールを取り付けている内箱（３）の側面が大きな範囲で補強されるため、その強度は大きなものとなり、容器（25）（26）（17）に多くの食品を収納し、その重量により内箱（３）の左右壁面の上部が内側に倒れるように変形する、いわゆる内倒れの発生を防止することができるとともに、コストも低減することができる。なお、レール補強板面の適当部位に適宜透孔（30）を穿設して内箱（３）と係合させるようにすれば、より位置決めが確実になるとともに強度を保持したまま補強板の重量を小さくすることができる。
【００３１】
次に本発明の他の実施例について説明する。前記図３と同一部分を同一符号で示す冷蔵室内部の側面図である図７およびその正面からの断面図である図８、さらに関連部品の分解斜視図である図９に示すように、冷蔵室（11）の両側壁面には、容器および支持枠を保持して前後に摺動する前記実施例と同様のスライドレール（16′）を前後方向に亙って配置している。そして、冷蔵室（11）の一側壁を形成する前記縦仕切壁（６′）内には、前記スライドレール（16′）および縦仕切壁（６′）に対して隣接する前記製氷室（８）上部の冷蔵空間（10）内の容器を保持しているスライドレールＲ（31）を取り付けるためのレール補強板（32）を設けている。
【００３２】
このレール補強板（32）は、左右の内箱（３）（３′）に亙るように断面ほぼＳ字状をなしており、前記縦仕切壁（６′）の厚みに相当する水平部（32ｄ）とその両端部からそれぞれ上下の垂直方向に延出する補強取付部（32ｂ）（32ｃ）から形成されている。
【００３３】
そして、それぞれの補強取付部（32ｂ）（32ｃ）を前記実施例と同様にその凸起片（32ａ）と内箱（３）の係合孔（３ａ）により仮止めし、ねじ（28）で固定するものであり、その後、内箱（３）と外箱（２）および縦仕切壁（６′）の間隙に断熱材（４）を発泡充填することで、前記レール補強板（32）を断熱材（４）中に埋設し、固定するものである。
【００３４】
上記においても、レール補強板（32）に取り付けられる複数のスライドレール（16′）のうちのひとつが貯蔵室の最下方に位置する場合には、前記同様の支え部材（19′）あるいは支持枠を固着し、扉とともに引き出すようにすればよい。
【００３５】
なお、上記実施例では、レール補強板（32）を断面ほぼＳ字状としたが、これに限らず、断面逆Ｕ字状やＨ字状など種々の断面形状が使用できるものであり、これに取り付けるスライドレール（16′）も各室に１本ではなく、それぞれ複数本を取り付けるようにしてもよいことは言うまでもない。
【００３６】
上記構成によれば、左右に分離している内箱（３）（３′）の位置決めができて両者間の断熱厚さ寸法を確実に保持できるばかりでなく、左右の内箱（３）（３′）の上下や前後の位置をも保持してキャビネットとしての剛性を向上させることができるとともに、レール補強板（32）が断熱材（４）中に埋設されることでスライドレール（16′）（31）の取り付け強度をより向上させることができる。
【００３７】
なお、上記各実施例では、横長タイプの冷蔵庫の冷蔵室（11）における引き出し式の容器の例で説明したが、これに限らず、冷蔵庫は縦長タイプでもよく、対象とする貯蔵室は、野菜室（７）や冷凍室（13）など、他の貯蔵室の引き出し式の容器の構成としても適用できるのはいうまでもない。
【図面の簡単な説明】
【００３８】
【図１】本発明の１実施形態を示す冷蔵庫の正面図である。
【図２】図１から扉を除去した状態を示す正面図である。
【図３】図２における冷蔵室内部を示すの側面図である。
【図４】図３の最下方の支持部材とスライドレールとの関係を示す斜視図である。
【図５】図３の分解斜視図である
【図６】図４のスライドレール部の正面からの断面図である。
【図７】本発明の他の実施例を示す図３と同一部分の側面図である。
【図８】図７のスライドレール部の正面からの断面図である。
【図９】図７の分解斜視図である。
【図１０】従来の状態を示す冷蔵庫の引き出し式扉部分の縦断面図である。
【図１１】図10の分解斜視図である。
【符号の説明】
【００３９】
１  冷蔵庫本体            ３、３′  内箱            ４  断熱材
５  横仕切壁              ６、６′  縦仕切壁        ７  野菜室Ａ
８  製氷室                10  冷蔵空間              11  冷蔵室
12  野菜室Ｂ              13  冷凍室                14  冷蔵室扉
15  支持枠                16、16′  スライドレール  17  容器
18  固定レール            19、19′  支え部材        20  可動レール
21  中間レール            22  ボールベアリング      23  スライドレール上
24  スライドレール中      25  容器上                26  容器中
27  レール補強板          28、29  ねじ              31  スライドレールＲ
32  レール補強板
【図１】
2009014287.tif 000003
【図２】
2009014287.tif 000004
【図３】
2009014287.tif 000005
【図４】
2009014287.tif 000006
【図５】
2009014287.tif 000007
【図６】
2009014287.tif 000008
【図７】
2009014287.tif 000009
【図８】
2009014287.tif 000010
【図９】
2009014287.tif 000011
【図１０】
2009014287.tif 000012
【図１１】
2009014287.tif 000013